(57)【要約】      （修正有）【課題】  反射効率を向上し、光の拡散をより均一にした、反射板を提供する。【解決手段】  本発明による反射板は、主な材料がＰＥＴ（ポリエチレンテフタレート樹脂）からなるベース材２１と、主な材料がアルミニウムまたは銀から成り、スパッタリングまたは真空蒸着法を利用して該ベース材の上方に設けた金属反射層２２と、該金属反射層２２の上方に塗布され、主な材料が酸化チタンまたは二酸化珪素から成る拡散層２３と、を少なくとも含む。【選択図】  図６
2005182018.tif 000002
【特許請求の範囲】
【請求項１】
ベース材と、該ベース材の上方に設けた金属反射層と、該金属反射層の上方に設けた拡散層と、を少なくとも含んで成る反射板。
【請求項２】
前記のうち、該ベース材の主な材料がＰＥＴ（ポリエチレンテレフタレート樹脂）である、請求項１に記載の反射板。
【請求項３】
前記のうち、該金属反射層の主な材料がアルミニウムまたは銀である、請求項１に記載の反射板。
【請求項４】
前記のうち、該金属反射層をスパッタリングまたは真空蒸着法で該ベース材の上に設けた、請求項１に記載の反射板。
【請求項５】
前記のうち、該拡散層の主な材料がＴｉＯ２（酸化チタン）またはＳｉＯ２（二酸化珪素）である、請求項１に記載の反射板。
【発明の詳細な説明】
【技術分野】
【０００１】
本発明はフラットパネルディスプレイのバックライトモジュールに用いる反射板に関し、特に、反射効率を向上し、光の拡散をより均一にした反射板に関する。
【背景技術】
【０００２】
フラットパネルディスプレイ（Ｆｌａｔ  Ｐａｎｅｌ  Ｄｉｓｐｌａｙ）は、近年最も注目されている専門用語の一つであると言える。従来のＣＲＴディスプレイは数十年間に渡り市場を席巻してきたが、ついに新世代のディスプレイ技術の挑戦を受けるようになった。液晶ディスプレイ（ＬＣＤ）、プラズマディスプレイ（ＰＤＰ）または有機電界発光ディスプレイ（ＯＬＥＤ）のどれをとっても、軽くて薄く、小型であり、熱量と電力の消耗が低く、且つ、放射障害がないという利点があり、消費型情報市場を大幅に占めるようになった。そのうち、薄膜トランジスタ液晶ディスプレイ（ＴＦＴ−ＬＣＤ）の技術の進展は特にめざましく、実際の投資規模と量産実績をとっても、高品質ディスプレイの時代はすでに到来したことが分かる。小型のカラー携帯電話から大型のテレビまで幅広く応用することができ、液晶ディスプレイはすでに今世紀初頭の応用科学技術の重大変革となっている。
【０００３】
液晶ディスプレイの主な構造は、パネルとバックライトモジュールの２大部分に大きく分けることができる。パネルの構成は、ＩＴＯ導電ガラス、液晶、配向膜、カラーフィルター、偏光板、駆動ＩＣ等を含み、バックライトモジュールは、蛍光管、導光板及び各種光学膜を含む。液晶ディスプレイ全体の光学的パフォーマンスは、モジュール内のあらゆる部材の相互間の影響を受ける。そのうち、光学膜はモニタ輝度、均一度、コントラスト及び視角において特に重要な役割を果たしている。液晶パネルのサイズが大きくなるにつれ、解像度も高くなり、設計者は一方では蛍光管の数を増やすか、管の電流を上げて入射光量を増加し、別の面ではパネル開口率（Ａｐｅｒｔｕｒｅ  ｒａｔｉｏ）を増加してバックライト源の消耗を低減し、更に積極的にＭＶＡ（Ｍｕｌｔｉ−ｄｏｍａｉｎ  ｖｅｒｔｉｃａｌ  ａｌｉｇｎｍｅｎｔ）、ＡＳＶ（Ａｄｖａｎｃｅｄ  Ｓｕｐｅｒ  Ｖ）またはＩＰＳ（Ｉｎ−ｐｌａｎｅ  ｓｗｉｔｃｈｉｎｇ）等の広視角液晶配向技術を導入して、液晶ディスプレイの観賞角度と色彩を改善する努力がされている。しかしながら、単に蛍光管を増やすことで輝度を上げると、過多な熱量が機構内に蓄積されてしまい、その他の部材の寿命と品質に影響し、同時に電力の消耗が大きくなりすぎてしまい、ケーブルを使わずに電池で利用される多くの情報製品のニーズを満足させることができなくなる。また、ハイレベルの液晶パネルは、製品の位置付けや製造の良品率等の原価要素や、特許権、電極設計等の技術的要素が関わってくるため、これまでのところ、バックライトモジュールにおいてはさまざまな光学膜を利用して全体の輝度を上げ、光源を最高の効率で利用することでセル設計の変更や余計なエネルギー消耗を必要としない方法が、最も経済的且つ簡単に設計目標を達成するためのソリューションとして採用されている。このため、全体の輝度を向上し、最高効率で光源を利用しながら、セル設計の変更や余計なエネルギー消耗を必要としない反射板が開発されている。
【０００４】
反射板がバックライトモジュールにおいて果たす役割は２つある。第一に、光源から発せられた光線を効果的に導光板へ反射し、その効率は鏡面反射の反射率によって決定される。第二に、導光板から漏れた光線の拡散を導光板へ戻し、これにより、平行に進行する導光板内の平面光を導光板に垂直な方向に変換して導光板から逸脱させる。これらは、入射光を反射する時、反射効率を高め、全体の輝度を向上することを共に目的としている。しかしながら、従来の反射板は反射効果が理想的ではなかったり、反射した光線の拡散の均一性が不十分であったりする欠点が存在する。
【０００５】
従来の反射板とバックライトモジュールの構造を図１に示す。該バックライトモジュール１は、反射板１１、冷陰極管１２、拡散板１３及び第二拡散板１４から構成され、そのうち、図２の従来の反射板の側面断面図に示すように、該反射板１１の主な材料はＰＥＴ（ポリエチレンテレフタレート樹脂）であり、且つ、その表面にＴｉＯ２（酸化チタン）を含む拡散層１１１が塗布され、該ＴｉＯ２（酸化チタン）が乾燥し固化すると、白色状の霧化表面が形成され、光線がより均一に拡散され、一定の反射効果が得られるため、広く使用されている。しかし、この拡散層１１１が光線を拡散するために、反射率が理想的ではなくなってしまい、より強い光源が必要となり、電流が増加し電力の消耗が大きくなるだけでなく、また、より強い光源をより多く必要とする状況においては、一般的な小型フラットディスプレイパネルを備えた装置（携帯電話やＰＤＡ等）の空間が限られているため、多くの光源を設置することができず、現段階ではほとんどが比較的大型のフラットディスプレイパネルを備えた装置（コンピュータ用ＬＣＤ等）の中に利用されている。
【０００６】
図３に他の従来の反射板の側面断面図を示す。図に示すように、該反射板１１’の主な材料はＰＥＴ（ポリエチレンテレフタレート樹脂）とＴｉＯ２（酸化チタン）の混合であり、この反射板１１’はそのうちのＴｉＯ２の気泡１１１’を利用して入射する光線を再度拡散させ、光線をより均一に拡散させると共に、一定の反射効果が得られるため、これも広く使用されているものである。しかし、気泡１１１’が光線を拡散するために、反射率が理想的ではなくなってしまい、より強い光源が必要となり、電流が増加し電力の消耗が大きくなるだけでなく、また、より強い光源をより多く必要とする状況においては、一般的な小型フラットディスプレイパネルを備えた装置（携帯電話やＰＤＡ等）の空間が限られているため、多くの光源を設置することができず、これも現段階ではほとんどが比較的大型のフラットディスプレイパネルを備えた装置（コンピュータ用ＬＣＤ等）の中に利用されているのみである。
【０００７】
図４にさらに他の従来の反射板の側面断面図を示す。図に示すように、該反射板１１の主な材料はＰＥＴ（ポリエチレンテレフタレート樹脂）であり、その表面に銀またはアルミニウムを含む金属反射層１１２が塗布され、該金属反射層１１２が光を反射することにより、反射率を大幅に向上したものである。しかし、光が反射される時、光の分布が不均一になり、且つ、反射板が組み立てまたは製造時によれたり、キズがついたり、または高温で変形が生じたりすることがあるため、反射される光線が不規則になったり、反射できなくなったりし、画面表示の不良が生じることがある。このため、大型のフラットディスプレイパネルを備えた装置（コンピュータ用ＬＣＤ等）に利用する際、反射板の組み立てまたは製造時に発生するよれやキズ、高温による変形などによる画面不良の部分がより顕著に表れてしまい、使用に適しない。この欠点を最小限に抑えるため、現段階ではほとんどが比較的小型のフラットディスプレイパネルを備えた装置（携帯電話やＰＤＡ等）の中に利用されている。
【０００８】
本発明は、従来の反射板の欠点に鑑みて、発明者が該項産業における長年の経験に基づき研究を重ね、これらの欠点を克服したものであって、反射効率を向上すると共に光の拡散をより均一にした反射板を提供するものである。
【発明の開示】
【発明が解決しようとする課題】
【０００９】
本発明の主な目的は、反射効率を向上した反射板を提供することにある。      
【００１０】
本発明の他の目的は、光の拡散をより均一にした反射板を提供することにある。
【課題を解決するための手段】
【００１１】
上述の目的を達するため、本発明の反射板は、ベース材と、該ベース材の上方に設けた金属反射層と、該金属反射層の上方に設けた拡散層と、を含む。これにより反射効率を向上し、光の拡散をより均一にすることができる。
【発明の効果】
【００１２】
上述の構成により、本発明の反射板は以下のような効果が得られる。
１．良好な反射効率
反射板上にスパッタリングまたは真空蒸着で金属反射層を設けることにより、該金属反射層の高反射率によって反射板が良好な反射効率を得ることができる。
２．光の拡散をより均一にする
金属反射層上に塗布した一層の拡散層が、光の拡散をより均一にし、反射板による反射光の拡散をより均一にすることができる。
３．各種サイズのフラットディスプレイ装置に適用可能
金属反射層の設計により、反射板の反射効率が高くなるため、別途光源を追加する必要がなく、小型のフラットディスプレイを備えた装置（携帯電話やＰＤＡ等）の中に利用することができる。また、拡散層の設計により、反射板の反射光の拡散をより均一にすることができ、従って画面不良の部分を目立たせないため、大型のフラットディスプレイを備えた装置（コンピュータＬＣＤ等）の中に利用することもできる。このため、各種サイズのフラットディスプレイ装置に適用することができる。
【発明を実施するための最良の形態】
【００１３】
本発明の目的、特徴及び効果に対する理解を助けるため、以下、具体的な実施例と図面に基づき、本発明の反射板について詳細に説明する。
【００１４】
図５に、本発明の反射板とバックライトモジュールの配置図を示す。図６に、本発明の反射板の側面断面図を示す。これらの図に示すように、該バックライトモジュール１は、冷陰極管１２、拡散板１３と第二拡散板１４とから構成され、該冷陰極管１２の下方に反射板２が設置される。そのうち、該反射板２は、主な材料がＰＥＴ（ポリエチレンテレフタレート樹脂）から成るベース材２１と、光の反射効率を高めることが可能で、且つ、主な材料がアルミニウムまたは銀から成り、スパッタリングまたは真空蒸着法を利用して該ベース材２１の上方に設けた金属反射層２２と、該金属反射層２２の上方に塗布され、主な材料がＴｉＯ２（酸化チタン）またはＳｉＯ２（二酸化珪素）から成る拡散層２３と、を少なくとも含む。
【００１５】
以上の説明は本発明の最良の実施例について述べたものであり、本発明の特許請求の範囲を制限するものではなく、また、本発明の要旨を逸脱しないあらゆる同等の変形や修正も、本発明の特許請求の範囲に含まれるものとみなす。
【図面の簡単な説明】
【００１６】
【図１】従来の反射板とバックライトモジュールの構造を示す側面図である。
【図２】従来の反射板の側面断面図である。
【図３】従来の他の反射板の側面断面図である。
【図４】従来のさらに他の反射板の側面断面図である。
【図５】本発明の反射板とバックライトモジュールを示す側面配置図である。
【図６】本発明の反射板の側面断面図である。
【符号の説明】
【００１７】
１  バックライトモジュール
２  反射板
１１  反射板
１１’  反射板
１２  冷陰極管
１３  拡散板
１４  第二拡散板
２１  ベース材
２２  金属反射層
２３  拡散層
１１１  拡散層
１１１’  気泡
１１２  金属層
【図１】
2005182018.tif 000003
【図２】
2005182018.tif 000004
【図３】
2005182018.tif 000005
【図４】
2005182018.tif 000006
【図５】
2005182018.tif 000007
【図６】
2005182018.tif 000008